(57)【要約】【課題】  偏心の発生を抑えることで、転動体との間に生じる焼き付きを抑制することができる転がり軸受用保持器を提供する。【解決手段】  本発明の転がり軸受用保持器１０は、周方向に所定ピッチで平坦部１１ａと湾曲部１１ｂが交互に形成された一対の波形リング１１を有し、一対の波形リング１１の各平坦部１１ａ同士を互いに重ね合わせて結合して構成された保持器本体１２を有している。さらに、転がり軸受用保持器１０は、保持器本体１２に設けられ、外輪３の内周面端部３ｂに、案内面１３ａ１を摺接させることで保持器本体１２の軸中心を外輪３の軸中心に対して一致させる案内部材１３を備えている。【選択図】      図２
2010060019.tif 000002
【特許請求の範囲】
【請求項１】
内外輪の間に介在した転動体を保持する転がり軸受用保持器であって、
周方向に所定ピッチで平坦部と湾曲部が交互に形成された一対の波形リングを有し、前記一対の波形リングの各平坦部同士を互いに重ね合わせて結合することによって、対向する各湾曲部間に前記転動体を保持するポケットが形成されている保持器本体と、
前記保持器本体に連結され、前記内外輪の内少なくともいずれか一方の周面に、案内面を摺接させることで前記保持器本体の軸中心を前記内外輪の軸中心に対して一致させる案内部材と、を備えていることを特徴とする転がり軸受用保持器。
【請求項２】
前記案内部材には、前記各平坦部同士を互いに重ね合わせて結合するための結合手段が設けられている請求項１に記載の転がり軸受用保持器。
【発明の詳細な説明】
【技術分野】
【０００１】
本発明は、転がり軸受用保持器に関する。
【背景技術】
【０００２】
回転軸等を回転自在に支持するための転がり軸受は、内外輪間を転動する複数の転動体同士が互いに接触しないよう、これら転動体を互いに離隔保持するための保持器を有している。この転がり軸受用保持器は、内外輪間に配置される環状に形成された部材であり、転動体を保持するためのポケットが周方向に沿って所定間隔を置いて設けられている。転がり軸受用保持器は、内外輪間に配置されて転動体を保持しているため、転がり軸受の内外輪が相対回転すると、当該内外輪に対して相対回転する。
【０００３】
上記転がり軸受用保持器には、周方向に所定ピッチで平坦部と湾曲部が交互に形成された一対の波形リングを有する、いわゆる波形保持器がある。この波形保持器は、前記一対の波形リングの平坦部同士を互いに重ね合わせて結合することによって構成されており、対向する各湾曲部間に転動体を保持するためのポケットが形成されている（例えば、特許文献１参照）。
【０００４】
【特許文献１】特開２００８−２４９４号公報
【発明の開示】
【発明が解決しようとする課題】
【０００５】
上記波形保持器においても、転がり軸受の内外輪が相対回転すれば、当該内外輪に対して相対回転するが、例えば、転がり軸受が高速回転で用いられるものである場合、これに用いられる波形保持器も高速回転することとなる。
ここで、転動体と、ポケットとの間には、当該転動体がポケット内で回転するのを許容するための僅かなクリアランスが設けられているため、このクリアランスによって、保持器の軸中心が回転の中心となる転がり軸受の軸中心に対して偏心する場合があった。
このような偏心が生じると、保持器による各転動体ごとの保持状態が不均衡となるが、転がり軸受の回転速度が比較的小さい場合には問題とはならない。
しかし、例えば、回転輪の回転速度が毎分４００００回転以上といった高速回転下で用いられる転がり軸受の場合、上記偏心により各転動体ごとの保持状態に不均衡が生じると一部の転動体と保持器との間の接触圧力等が増加し、転動体が高速で転動することも相まって、転動体と保持器との間で焼き付きが発生するおそれがある。このような焼き付きの発生は、高速回転下で用いられる転がり軸受の許容回転速度を低下させる要因となっていた。
本発明はこのような事情に鑑みてなされたものであり、偏心の発生を抑えることで、転動体との間に生じる焼き付きを抑制することができる転がり軸受用保持器を提供することを目的とする。
【課題を解決するための手段】
【０００６】
上記目的を達成するための本発明は、内外輪の間に介在した転動体を保持する転がり軸受用保持器であって、周方向に所定ピッチで平坦部と湾曲部が交互に形成された一対の波形リングを有し、前記一対の波形リングの各平坦部同士を互いに重ね合わせて結合することによって、対向する各湾曲部間に前記転動体を保持するポケットが形成されている保持器本体と、前記保持器本体に連結され、前記内外輪の内少なくともいずれか一方の周面に、案内面を摺接させることで前記保持器本体の軸中心を前記内外輪の軸中心に対して一致させる案内部材と、を備えていることを特徴としている。
【０００７】
上記のように構成された転がり軸受用保持器によれば、前記内外輪の内少なくともいずれか一方の周面に案内面を摺接させることで前記保持器本体の軸中心を前記内外輪の軸中心に対して一致させる案内部材を有しているので、当該転がり軸受の内外輪が相対回転し保持器本体が内外輪に対して相対回転した場合に、保持器本体が内外輪の軸中心に対して偏心するのを抑制することができる。このため、たとえ転がり軸受が高速回転したとしても、当該保持器本体は、複数の転動体それぞれを好適に保持することができ、転動体と保持器との間に生じる焼き付きを抑制することができる。
【０００８】
上記転がり軸受用保持器において、前記案内部材には、前記各平坦部同士を互いに重ね合わせて結合するための結合手段が設けられていてもよい。
この場合、案内部材は、一対の波形リングを結合するための結合手段が設けられていることで、保持器本体の偏心を抑制すると同時に、一対の波形リングを結合することができる。このため、一対の波形リングを結合するための手段を別途設ける必要がなく、当該転がり軸受用保持器の構成を簡易にできる。
【発明の効果】
【０００９】
本発明の転がり軸受用保持器によれば、保持器本体の偏心を抑えることで、転動体と保持器本体との間に生じる焼き付きを抑制することができる。
【発明を実施するための最良の形態】
【００１０】
次に、本発明の好ましい実施形態について添付図面を参照しながら説明する。図１は転がり軸受の構成を示す断面図である。この転がり軸受１は、環状の内輪２と、内輪２の外周側に同心に配置された外輪３と、内輪２と外輪３との間に介在した転動体としての複数の玉４と、これら玉４を保持するための本発明に係る転がり軸受用保持器１０とを備えており、いわゆる玉軸受を構成している。また、上記転がり軸受１は、自動車や工作機械等に用いられる軸受であり、その回転速度が毎分３００００回転以上といった高速回転下で用いられる。このため、転がり軸受１の許容回転速度は、毎分４００００〜５００００回転に設定される。
【００１１】
内輪２は、軸受鋼等の合金鋼を用いて環状に形成された部材であり、その外周面には、玉４が転動する内輪軌道面２ａが周方向に沿って形成されている。
外輪３も、軸受鋼等の合金鋼を用いて環状に形成された部材であり、その内周面には、玉４が転動する外輪軌道面３ａが内輪軌道面２ａに対向するように形成されている。
複数の玉４は、上記内輪軌道面２ａ及び外輪軌道面３ａとの間に転動自在に配置されており、これによって、内外輪２，３は互いに相対回転自在である。
【００１２】
転がり軸受用保持器１０は、内外輪２，３間の環状空間に配置された環状の部材であり、周方向に所定の間隔をおいて複数の玉４をそれぞれ保持するためのポケット１４が形成されている。ポケット１４と、玉４との間には、僅かなクリアランスが設けられており、ポケット１４は、玉４を回転自在に保持する。
図２は、転がり軸受用保持器１０の外観図である。図１及び図２を参照して、保持器１０は、金属製の板材を環状に形成した一対の波形リング１１を有する保持器本体１２と、保持器本体１２に連結された環状の案内部材１３とを備えており、いわゆる波形保持器を構成している。
【００１３】
波形リング１１は、プレス加工等によって、周方向に所定ピッチで平坦部１１ａと湾曲部１１ｂとが交互に形成されている。
保持器本体１２は、上記一対の波形リング１１の平坦部１１ａ同士を互いに重ね合わせて結合されて構成されており、対向する湾曲部１１ｂ間に上記ポケット１４が形成されている。
平坦部１１ａには、貫通孔１１ｃが形成されている。この貫通孔１１ｃは、平坦部１１ａ同士を重ね合わせたときにそれぞれの貫通孔１１ｃが一致するように形成されており、案内部材１３に設けられた後述するリベット１５が、一致した状態の両貫通孔１１ｃに挿通されてかしめられている。これによって、一対の波形リング１１は、互いに重ね合わせて結合されている。
【００１４】
案内部材１３は、例えば、フェノール樹脂又はポリアミド樹脂等の合成樹脂を用いて形成された環状の部材であり、外輪３の内周面端部３ｂの内周側に配置された円環状の環状部１３ａと、環状部１３ａから一方の波形リング１１の各平坦部１１ａに向かって軸方向にほぼ平行に突設された複数の柱部１３ｂとを備えている。
複数の柱部１３ｂの先端には、貫通孔１１ｃに挿通された上述のリベット１５が設けられている。リベット１５は、鋼材やアルミ材で形成された棒状の部材であり、その基端部が柱部１３ｂの先端に埋包固定されている。リベット１５は、貫通孔１１ｃに挿通された状態で先端部がかしめられており、平坦部１１ａ同士を互いに重ね合わせて結合している。つまりリベット１５は、各平坦部１１ａ同士を互いに重ね合わせて結合するための結合手段を構成している。
また、リベット１５を貫通孔１１ｃに挿通して先端部をかしめることで、複数の柱部１３ｂは、それぞれ、環状部１３ａを波形リング１１に対して支持するように各平坦部１１ａに固定されている。これら柱部１３ｂにより、案内部材１３は、平坦部１１ａ（保持器本体１２）に連結されている。
【００１５】
案内部材１３は、環状部１３ａの軸中心が保持器本体１２の軸中心と一致するように当該保持器本体１２に連結固定されている。また、環状部１３ａは、外輪３の内周面端部３ｂ沿うように外輪３の内周側に配置されており、環状部１３ａの外周面は、保持器本体１２を案内するための案内面１３ａ１とされている。
すなわち、環状部１３ａは、その外周面である案内面１３ａ１が外輪３の内周面端部３ｂに対して摺接可能に対向するように外輪３の内周側に配置されている。このため、内外輪２，３の相対回転によって保持器１０全体が内外輪２，３に対して相対回転したとき、環状部１３ａは、案内面１３ａ１を外輪３の内周面端部３ｂに摺接させることで保持器本体１２の軸中心を外輪３の軸中心に対して一致させるように、保持器本体１２を案内する。
【００１６】
なお、環状部１３ａの案内面１３ａ１と、外輪３の内周面端部３ｂとの間の隙間Ｓは、直径同士の差で０．３〜０．４ｍｍとなるように設定されている。隙間Ｓを前記数値範囲に設定することで、案内面１３ａ１と内周面端部３ｂとの摺接による摩擦抵抗をできるだけ抑えることができ、案内部材１３は、保持器１０と外輪３との間の相対回転を阻害することなく、保持器本体１２の軸中心を外輪３の軸中心に一致させるように案内することができる。
【００１７】
上記のように構成された本実施形態の転がり軸受用保持器１０によれば、保持器本体１２を案内する案内面１３ａ１を有する案内部材１３を備えているので、当該転がり軸受１の内外輪２，３が相対回転し保持器本体１２が内外輪２，３に対して相対回転した場合に、当該保持器本体１２が外輪３の軸中心に対して偏心するのを抑制することができる。このため、転がり軸受１が高速回転下（毎分３００００回転以上）で用いられた場合にも、当該保持器本体１２は、複数の玉４それぞれを好適に保持することができ、玉４と保持器１０との間に生じる焼き付きを抑制することができる。
この結果、上記焼き付きに起因して転がり軸受１の許容回転速度が低下するのを防止することができる。
【００１８】
また上記実施形態では、環状部１３ａの外周面を案内面１３ａ１とすることによって、当該案内面１３ａ１を外輪３の内周面端部３ｂに沿う環状としたので、より精度良く保持器本体１２の軸中心を外輪３の軸中心に対して一致させることができるとともに、内周面端部３ｂに対して案内面１３ａ１が接触する際の接触面の面圧を低下させることができる。
【００１９】
さらに上記実施形態において、案内部材１３には、各平坦部１１ａ同士を互いに重ね合わせて結合するための結合手段としてのリベット１５が設けられているので、保持器本体１２の偏心を抑制すると同時に、一対の波形リング１１を結合することができる。このため、一対の波形リング１１を結合するための手段を別途設ける必要がなく、当該転がり軸受用保持器１０の構成を簡易にできる。
【００２０】
また、上記実施形態では、案内部材１３を合成樹脂によって形成したものを例示したが、例えば、金属を用いて案内部材１３を形成することもできる。さらにこの場合、図３に示すように、柱部１３ｂの先端からリベット１５を一体的に形成し、一対の波形リング１１を結合する構成とすることができる。これにより、当該転がり軸受用保持器１０の構成をより簡易なものにできる。
【００２１】
なお、本発明は、上記実施形態に限定されるものではない。上記実施形態では、案内部材１３を環状部１３ａと、複数の柱部１３ｂとによって構成し、案内面１３ａ１を環状部１３ａの外周面に設けた場合を示したが、図４に示すように、平坦部１１ａに突設されるとともに、その先端側に外輪３の内周面端部３ｂに摺接可能に対向する案内面１３ａ１が設けられた多数の突設部材１６によって案内部材１３を構成することもできる。このとき案内面１３ａ１は、内周面端部３ｂに沿う円弧状の面とされる。
この場合、案内面１３ａ１は、外輪３の内周面端部３ｂに対して部分的に摺接するので、案内面１３ａ１と内周面端部３ｂとが摺接する際の抵抗を低減することができる。
【００２２】
また、上記実施形態では、案内面１３ａ１を外輪３の内周面端部３ｂに摺接可能に対向させた場合を例示したが、案内面１３ａ１を内輪２の外周面に対して摺接可能に対向させる構成とすることもできる。
【図面の簡単な説明】
【００２３】
【図１】転がり軸受用保持器の外観図である。
【図２】転がり軸受１の要部を拡大した断面図である。
【図３】他の態様のリベットを示す断面図である。
【図４】他の態様の案内部材を備えた転がり軸受用保持器の外観図である。
【符号の説明】
【００２４】
１      転がり軸受
２      内輪
３      外輪
３ｂ    内周面
４      玉（転動体）
１０    転がり軸受用保持器
１１    波形リング
１１ａ  平坦部
１１ｂ  湾曲部
１２    保持器本体
１３    案内部材
１３ａ１  案内面
１５    リベット（結合手段）
【図１】
2010060019.tif 000003
【図２】
2010060019.tif 000004
【図３】
2010060019.tif 000005
【図４】
2010060019.tif 000006